(57)【要約】【課題】チルド室内の水分を容易に外部に排出することができる冷蔵庫を提供する。【解決手段】本発明の冷蔵庫１０は、冷蔵室１５と、冷蔵室１５の内部に設置されたチルド室４０と、を具備する。チルド室４０は、上面部３７と、下面部３８と、上面部３７と下面部３８とをつなぐ複数の側面部３９と、を有している。更に、冷蔵室１５を冷却する冷気を、チルド室４０の外側から、チルド室４０の側面部３９に向かって吹き付けている。このようにすることで、チルド室４０の内部雰囲気に含まれる水分を、チルド室４０の側面部３９の内面に効果的に凝集させ、その水分を外部に放出することができる。【選択図】図４
2019113242.tif 000002
【特許請求の範囲】
【請求項１】
貯蔵室と、
前記貯蔵室の内部に設置された低圧密閉室と、を具備し、
前記低圧密閉室は、上面部と、下面部と、前記上面部と前記下面部とをつなぐ複数の側面部と、を有し、
前記貯蔵室を冷却する冷気を、前記低圧密閉室の外側から、前記低圧密閉室の前記側面部に向かって吹き付けることを特徴とする冷蔵庫。
【請求項２】
前記冷気が吹き付けられる前記側面部の内側面に、親水性塗料を塗布することを特徴とする請求項１に記載の冷蔵庫。
【請求項３】
前記低圧密閉室の前記側面部は、前方側面部と、後方側面部と、左方側面部と、右方側面部と、を有し、
前記後方側面部に、前記低圧密閉室の外側から前記冷気を吹き付け、
吹き付けられる前記冷気が吹き出される吹出口を、前記低圧密閉室の後方側に形成することを特徴とする請求項１または請求項２に記載の冷蔵庫。
【請求項４】
前記低圧密閉室の後端側に、幅方向に沿って傾斜する溝部を形成することを特徴とする請求項１から請求項３の何れかに記載の冷蔵庫。
【請求項５】
前記溝部は、幅方向の一方側に向かって下方に傾斜する第１溝部と、幅方向の他方側に向かって下方に傾斜する第２溝部と、を有し、
前記第１溝部と前記第２溝部とが合流する部分に、前記低圧密閉室の空気を吸引するポンプが接続することを特徴とする請求項４に記載の冷蔵庫。
【請求項６】
前記低圧密閉室の前記後方側面部には、外側に向かって延出する複数のリブが形成され、
前記低圧密閉室の後方には、前記低圧密閉室に向かって吹き出される前記冷気が通過する前記吹出口が複数配置されることを特徴とする請求項１から請求項５の何れかに記載の冷蔵庫。
【発明の詳細な説明】
【技術分野】
【０００１】
本発明は、貯蔵室内に食品等を冷却保存する冷蔵庫に関し、特に、低圧密閉室を備えた冷蔵庫に関する。
【背景技術】
【０００２】
一般的な冷蔵庫は複数の貯蔵室を有し、例えば、上方から、冷蔵室、冷凍室および野菜室を有している。
【０００３】
また、冷蔵室の内部にチルド室を有する冷蔵庫もある。このような冷蔵庫は例えば特許文献１に記載されている。
【０００４】
係る冷蔵庫では、最上段に形成された冷蔵庫の下部にチルド室が形成されている。チルド室の先端部分には開閉扉が形成されている。チルド室にはポンプが接続されており、ポンプでチルド室の内部の空気を吸引することで、チルド室の内部を低圧状態としている。このようにすることで、チルド室に貯蔵された魚や肉などの貯蔵食品が酸化することを抑制し、貯蔵食品を新鮮な状態に保つことができる。
【先行技術文献】
【特許文献】
【０００５】
【特許文献１】特開２０１６−１３３２５１号公報
【発明の概要】
【発明が解決しようとする課題】
【０００６】
しかしながら、上記した冷蔵庫に備えられたチルド室では、ポンプの吸引力によりチルド室内を低圧状態とした際に、収納された野菜等から蒸散する水蒸気がチルド室の内部に充満し、チルド室の内部に結露が発生する。その結露が食品に付着すると、鮮度に悪影響を与える恐れがある。また、その結露を真空ポンプで吸引して外部に排出することも考えられるが、結露を効率的に外部に排出することは簡単でなかった。
【０００７】
本発明は、上記の事情に鑑みてなされたものであり、その目的とするところは、低圧密閉室内の水分を容易に外部に排出することができる冷蔵庫を提供することにある。
【課題を解決するための手段】
【０００８】
本発明の冷蔵庫は、貯蔵室と、前記貯蔵室の内部に設置された低圧密閉室と、を具備し、前記低圧密閉室は、上面部と、下面部と、前記上面部と前記下面部とをつなぐ複数の側面部と、を有し、前記貯蔵室を冷却する冷気を、前記低圧密閉室の外側から、前記低圧密閉室の前記側面部に向かって吹き付けることを特徴とする。
【０００９】
また、本発明の冷蔵庫では、前記冷気が吹き付けられる前記側面部の内側面に、親水性塗料を塗布することを特徴とする。
【００１０】
また、本発明の冷蔵庫では、前記低圧密閉室の前記側面部は、前方側面部と、後方側面部と、左方側面部と、右方側面部と、を有し、前記後方側面部に、前記低圧密閉室の外側から前記冷気を吹き付け、吹き付けられる前記冷気が吹き出される吹出口を、前記低圧密閉室の後方側に形成することを特徴とする。
【００１１】
また、本発明の冷蔵庫では、前記低圧密閉室の後端側に、幅方向に沿って傾斜する溝部を形成することを特徴とする。
【００１２】
また、本発明の冷蔵庫では、前記溝部は、幅方向の一方側に向かって下方に傾斜する第１溝部と、幅方向の他方側に向かって下方に傾斜する第２溝部と、を有し、前記第１溝部と前記第２溝部とが合流する部分に、前記低圧密閉室の空気を吸引するポンプが接続することを特徴とする。
【００１３】
また、本発明の冷蔵庫では、前記低圧密閉室の前記後方側面部には、外側に向かって延出する複数のリブが形成され、前記低圧密閉室の後方には、前記低圧密閉室に向かって吹き出される前記冷気が通過する前記吹出口が複数配置されることを特徴とする。
【発明の効果】
【００１４】
本発明の冷蔵庫は、貯蔵室と、前記貯蔵室の内部に設置された低圧密閉室と、を具備し、前記低圧密閉室は、上面部と、下面部と、前記上面部と前記下面部とをつなぐ複数の側面部と、を有し、前記貯蔵室を冷却する冷気を、前記低圧密閉室の外側から、前記低圧密閉室の前記側面部に向かって吹き付けることを特徴とする。従って、低圧密閉室の側面に冷気を吹き付けることで、低圧密閉室の側面を冷却することができ、低圧密閉室の内部雰囲気に含まれる水分を、低圧密閉室の側面部内側に水滴として集合させることができる。よって、低圧密閉室で発生する水分を効果的に外部に排出することができる。
【００１５】
また、本発明の冷蔵庫では、前記冷気が吹き付けられる前記側面部の内側面に、親水性塗料を塗布することを特徴とする。従って、低圧密閉室の側面部の内側面に親水性塗料を塗布することで、低圧密閉室の内部雰囲気に含まれる水分を、より積極的に側面部の内側面に水滴として集合させることができる。よって、低圧密閉室の内部で発生する水滴を、更に効率的に外部に排出することができる。
【００１６】
また、本発明の冷蔵庫では、前記低圧密閉室の前記側面部は、前方側面部と、後方側面部と、左方側面部と、右方側面部と、を有し、前記後方側面部に、前記低圧密閉室の外側から前記冷気を吹き付け、吹き付けられる前記冷気が吹き出される吹出口を、前記低圧密閉室の後方側に形成することを特徴とする。従って、吹出口から吹き出された冷気を、低圧密閉室の後方側側面に吹き付けることで、充分に温度が低い冷気で後方側側面を冷却することができ、水滴を効果的に収集することができる効果を顕著にすることができる。
【００１７】
また、本発明の冷蔵庫では、前記低圧密閉室の後端側に、幅方向に沿って傾斜する溝部を形成することを特徴とする。従って、低圧密閉室の後方内面を伝って下方に移動した水を、傾斜する溝部に沿って移動させることができる。
【００１８】
また、本発明の冷蔵庫では、前記溝部は、幅方向の一方側に向かって下方に傾斜する第１溝部と、幅方向の他方側に向かって下方に傾斜する第２溝部と、を有し、前記第１溝部と前記第２溝部とが合流する部分に、前記低圧密閉室の空気を吸引するポンプが接続することを特徴とする。従って、第１溝および第２溝に沿って流れる水をポンプで効率的に搬出することができる。
【００１９】
また、本発明の冷蔵庫では、前記低圧密閉室の前記後方側面部には、外側に向かって延出する複数のリブが形成され、前記低圧密閉室の後方には、前記低圧密閉室に向かって吹き出される前記冷気が通過する前記吹出口が複数配置されることを特徴とする。従って、低圧密閉室の後方側面部に外側に向かって延出する複数のリブが形成されることで、低圧密閉室の後方側面部に沿って冷気を流すことが難しくなる。しかしながら、低圧密閉室の後方に複数の吹出口を配置することで、低圧密閉室の後方側面部を効果的に冷却することができる。
【図面の簡単な説明】
【００２０】
【図１】本発明の実施形態に係る冷蔵庫の外観を示す正面図である。
【図２】本発明の実施形態に係る冷蔵庫の内部構成を示す側方断面図である。
【図３】本発明の実施形態に係る冷蔵庫で採用される低圧密閉室を示す斜視図である。
【図４】本発明の実施形態に係る冷蔵庫で採用される低圧密閉室を示す分解斜視図である。
【図５】本発明の実施形態に係る冷蔵庫で採用される低圧密閉室を示す図であり、（Ａ）は低圧密閉室の内部を前方から見た図であり、（Ｂ）は低圧密閉室を示す切開斜視図である。
【図６】本発明の実施形態に係る冷蔵庫を示す図であり、（Ａ）は低圧密閉室から排出される水の経路を示す切開斜視図であり、（Ｂ）はその要所を示す拡大された切開斜視図である。
【図７】本発明の実施形態に係る冷蔵庫を示す図であり、冷蔵室供給風路を示す正面図である。
【発明を実施するための形態】
【００２１】
以下、本発明の実施形態に係る冷蔵庫１０を図面に基づき詳細に説明する。以下の説明では、同一の部材には原則的に同一の符号を付し、繰り返しの説明は省略する。更に以下の説明では、上下前後左右の各方向を適宜用いるが、左右とは冷蔵庫１０を前方から見た場合の左右を示している。
【００２２】
図１は、本形態の冷蔵庫１０の概略構造を示す正面外観図である。図１に示すように、冷蔵庫１０は、本体としての断熱箱体１１を備え、この断熱箱体１１の内部に食品等を貯蔵する貯蔵室を形成している。この貯蔵室としては、最上段が冷蔵室１５、その下段左側が製氷室１６で右側が上段冷凍室１８、更にその下段が下段冷凍室１９である。尚、製氷室１６、上段冷凍室１８および下段冷凍室１９は、何れも冷凍温度域の貯蔵室であり、以下の説明ではこれらを冷凍室１７と総称する場合もある。
【００２３】
断熱箱体１１の前面は開口しており、前記各貯蔵室に対応した開口には、各々断熱扉２１等が開閉自在に設けられている。断熱扉２１は、冷蔵室１５の前面を左右方向に分割して塞ぐもので、断熱扉２１の幅方向における外側上下端部が断熱箱体１１に回転自在に取り付けられている。また、断熱扉２２，２３，２４は、各々収納容器と一体的に組み合わされ、冷蔵庫１０の前方に引出自在に、断熱箱体１１に支持されている。
【００２４】
図２は、冷蔵庫１０の概略構造を示す側方断面図である。図２に示すように、冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、上記した各断熱扉２１等も、断熱箱体１１と同様の断熱構造を採用している。
【００２５】
冷蔵室１５と、その下段に位置する冷凍室１７とは、断熱仕切壁２７によって仕切られている。
【００２６】
冷蔵室１５の背面には、冷蔵室に送風される冷気が流通する冷蔵室供給風路３０が形成されている。また、冷気を冷蔵室供給風路３０から冷蔵室１５に吹き出すための吹出口３４が形成されている。冷蔵室供給風路３０の具体的形状は後述する。また、ここでは図示していないが、冷蔵室１５を冷却した冷気が冷却室３２に帰還するための冷蔵室帰還風路も形成されている。
【００２７】
冷凍室１７の奥側には、蒸発器である冷却器３１が収納される冷却室３２が形成されている。冷却器３１は、図示しない圧縮機、図示しない放熱器、図示しない膨張手段であるキャピラリーチューブに冷媒配管を介して接続されており、蒸気圧縮式の冷凍サイクル回路を構成するものである。
【００２８】
冷却室３２の上方には、冷却室３２の内部で冷却器３１が冷却した冷気を送風する送風機３３が配設されている。また、ここでは図示しないが、各供給風路を適宜開閉するためのダンパが設けられても良い。
【００２９】
ここでは図示していないが、冷却室３２で冷却された冷気を冷凍室１７に送風するための冷凍室供給風路が形成されている。更に、冷凍室１７を冷却した冷気が冷却室３２に帰還するための帰還風路も形成されている。ここでは、冷凍室１７を冷却した冷気が冷却室３２に帰還するための帰還口３５が図示されている。
【００３０】
冷蔵室１５の下部には、低圧密閉室であるチルド室４０が配設されている。チルド室４０は、肉や野菜などの生鮮食品等を貯蔵するための小貯蔵室であり、その室内温度帯域は例えば、０℃以上１℃以下とされている。更に、密閉されているチルド室４０の室内気圧は、貯蔵された生鮮食品等の鮮度を良好に保つために低圧とされている。チルド室４０の室内気圧は、例えば、０．５気圧程度とされる。チルド室４０の具体的な構成は後述する。
【００３１】
チルド室４０の後方には、冷気を冷蔵室１５の内部に向かって吹き出す吹出口３４が配設されている。吹出口３４は、チルド室４０の上面よりも下方であり、且つ、チルド室４０の下面よりも上方である位置に配設される。
【００３２】
チルド室４０の後方に吹出口３４を配置することで、チルド室４０を効果的に冷却することができる。更に、チルド室４０の内部で水分を効果的に収集することができる。具体的には、含水量が多い肉等の生鮮食品をチルド室４０に貯蔵すると、生鮮食品から蒸散した水分がチルド室４０の内部で結露することで結露水が発生する。本形態では、吹出口３４から吹き出した冷気を、チルド室４０の後方面に直に吹き付けることで、チルド室４０の後方面の温度を引き下げている。このようにするとで、チルド室４０の後方面の内部に結露水を凝集させ、結露水が生鮮食品に付着することを防止することができる。かかる事項は後述する。
【００３３】
また、吹出口３４の開口には、合成樹脂から成る吹出カバー３６が設置されている。吹出カバー３６は、前方に向かって開口面積が小さくなる略筒状部材である。このようにすることで、吹出口３４から吹き出された冷気を、吹出カバー３６を経由して、チルド室４０の後方側面に強く吹き付けることできる。よって、より効果的にチルド室４０の後方側面を冷却することができる。
【００３４】
図３を参照して、チルド室４０の構成を詳述する。この図は、チルド室４０を示す斜視図である。
【００３５】
チルド室４０は、略箱型形状を呈している密閉容器であり、上面部３７、下面部３８、および、上面部３７と下面部３８とをつなぐ側面部３９を有している。側面部３９は、前方側面部３９Ａ、後方側面部３９Ｂ、左方側面部３９Ｃおよび右方側面部３９Ｄを有している。
【００３６】
更に、チルド室４０は、前部に前方開口を有する略箱体であるチルドケース５７と、チルドケース５７の前方開口を塞ぐ略板形状のパネル４３とから構成されている。パネル４３の前面中央部には把手４６が取り付けられている。把手４６は、その上端を回転中心にして所定の角度範囲で回動可能に取り付けられている。チルドケース５７およびパネル４３は、射出成型された合成樹脂等からなる。また、チルドケース５７の外面には、格子状に多数のリブ４７が形成されている。このようにすることで、チルドケース５７が補強され、使用状況下にてチルド室４０の内部を低圧にした際に、チルドケース５７が内側に向かって変形してしまうことを防止できる。
【００３７】
チルド室４０は、次のように動作する。先ず、ユーザが、把手４６を下方から手を掛けることで手前に回転させると、パネル４３とチルドケース５７との間に間隙が生じ、チルド室４０の内部が大気圧状態となる。次に、ユーザがパネル４３を前方に引き出すと、パネル４３と共に後述する収納容器４４が手前に引き出される。その後、ユーザは、冷蔵保存されるべき生鮮食品等を収納容器４４に収納した後に、パネル４３を後方に押すことで、収納容器４４をチルドケース５７に内蔵させる。更に、ユーザが、把手４６を後方に向かって押し込むと、パネル４３とチルドケース５７との間隙が密閉され、後述するポンプ５１がチルド室４０の内部の空気を外部に排出し、チルド室４０の内部は例えば、０．５気圧程度の低圧状態となる。チルド室４０の内部が所定の低圧状態となれば、後述するポンプ５１は停止する。
【００３８】
図４は上記したチルド室４０を構成する各部材を上下後方に離して示す分解斜視図である。
【００３９】
チルド室４０は、前部および上部に開口を有するチルドケース本体部４１と、チルドケース本体部４１の上部開口を塞ぐ蓋形状のチルドケース蓋部４２と、チルドケース本体部４１の前方開口を塞ぐパネル４３とから構成されている。また、チルドケース本体部４１およびチルドケース蓋部４２の外周面には、機械的強度を増すために多数のリブ４７が格子状に形成されている。更に、チルドケース本体部４１の下面には、当該下面を補強するための凹凸形状が形成されている。
【００４０】
チルドケース本体部４１の前端に形成される前面開口４５は、パネル４３で前方から覆われる。パネル４３の後面には、生鮮食品等が載置される収納容器４４が配設されている。ユーザがパネル４３を前後方向に移動させると、収納容器４４はパネル４３と共に前後方向に移動する。
【００４１】
把手４６が手前に引き出されていない時には、図示しないロック機構により、パネル４３は、チルドケース本体部４１の前面開口４５を密閉している。一方、ユーザが把手４６の下端を前方に向かって引くことで、把手４６が回動すると、ロック機構によるパネル４３のロックが解除される。よって、パネル４３は、チルドケース本体部４１の前面開口４５を密閉しない。
【００４２】
図５を参照して、チルド室４０の構成を更に詳述する。図５（Ａ）はチルド室４０の内部を前方から見た図であり、図５（Ｂ）はチルド室４０の切開斜視図である。ここでは、親水性塗料５６が塗布される領域をハッチングで示している。
【００４３】
図５（Ａ）を参照して、チルド室４０の後方側面部３９Ｂの内面側には、親水性塗料５６が塗布されている。ここでは、後方側面部３９Ｂの内面側の略全面に、親水性塗料５６が塗布されている。ここで、親水性塗料５６とは、親水性基をもつポリマと溶媒とから構成される塗料である。親水性塗料５６を後方側面部３９Ｂの内面側に塗布することで、チルド室４０の内部雰囲気に含まれる水分が親水性塗料５６の表面に付着しやすくなり、後方側面部３９Ｂの内面に水滴が形成されやすくなる。
【００４４】
本実施形態では、上記したように、チルド室４０の後方側面部３９Ｂに対して外側から冷気を吹き付けることで、後方側面部３９Ｂの温度を、チルド室４０の他の部位よりも低くしている。このようにすることで、後方側面部３９Ｂの内側面に水滴が形成されやすい状況を作り出している。更に、本願発明では、後方側面部３９Ｂの内側面に親水性塗料５６を塗布することで、後方側面部３９Ｂの内側面で、更に積極的に水滴を形成している。このようにすることで、チルド室４０に貯蔵される生鮮食品等に水滴が付着してしまうことを抑止することができる。
【００４５】
図５（Ａ）を更に参照して、後方側面部３９Ｂの下方には、溝部４９が形成されている。溝部４９は、チルド室４０の下面部３８の後端を下方に窪ませた部位である。左右方向に於いて、溝部４９の幅は親水性塗料５６の幅よりも広く形成されている。また、溝部４９の左端部は親水性塗料５６の左端部よりも左方に配置され、溝部４９の右端部は親水性塗料５６の右端部よりも右方に配置されている。よって、親水性塗料５６に水分が付着することで形成された水滴は、後方側面部３９Ｂの内側面を伝って溝部４９まで移動し、後述するように蒸発皿まで導かれる。
【００４６】
溝部４９は、左方側の第１溝部４９Ａと、右方側の第２溝部４９Ｂとから構成されている。第１溝部４９Ａは右方に向かって下方に傾斜する傾斜溝であり、第２溝部４９Ｂは左方に向かって下方に傾斜する傾斜溝である。第１溝部４９Ａと第２溝部４９Ｂとは、ほぼ等しい長さであり、溝部４９の左右方向中央でつながっている。
【００４７】
第１溝部４９Ａと第２溝部４９Ｂとがつながる部分には、集合した水をチルド室４０の室外に逃がす排水孔５０が形成されている。上記のように、第１溝部４９Ａおよび第２溝部４９Ｂは、中央に向かって下方に傾斜する傾斜溝である。よって、重力の作用により第１溝部４９Ａおよび第２溝部４９Ｂに滴下した水分は、第１溝部４９Ａおよび第２溝部４９Ｂを流れて排水孔５０に至った後に、チルド室４０の外部に排出される。
【００４８】
図５（Ｂ）に示すように、溝部４９の中央に、溝部４９に集合した水を外部に排出するための排水孔５０が形成されている。排水孔５０は溝部４９の最下部に、後方に向かって形成されている。また、溝部４９の内部に於いて排水孔５０の前方には、例えば発泡樹脂からなるフィルタ５８が配置されている。換言すると、フィルタ５８は排水孔５０を塞いでいる。このようにすることで、チルド室４０の内部に存在するゴミをフィルタ５８で補足し、排水孔５０にゴミが詰まってしまうことを防止することができる。
【００４９】
図６を参照して、チルド室４０から発生した水が進行する経路を説明する。図６（Ａ）はチルド室４０から排水される水の経路を示す切開斜視図であり、図６（Ｂ）は要所を拡大して示す切開斜視図である。
【００５０】
図６（Ａ）を参照して、チルド室４０の後方には、チルド室４０の内部雰囲気を吸引するポンプ５１が配置されている。チルド室４０とポンプ５１とは吸引パイプ５３で接続されている。ポンプ５１は、ポンプ収納容器５２に収納されている。また、ポンプ収納容器５２からは、下方に向かって排水パイプ５４が延びている。排水パイプ５４は、上記した断熱仕切壁２７の内部に充填された断熱材１４の内部に配置されている。断熱材１４の内部に排水パイプ５４を通すことで、排水パイプ５４が冷凍室１７と熱的に分離され、排水パイプ５４を流通する水が凍結してしまうことを防止することができる。更に、排水パイプ５４は、冷凍室１７の後方に配置された断熱材１４の内部にも配置されている。排水パイプ５４の下端は、除霜水を暫定的に受ける除霜室皿５５に配置されている。
【００５１】
従って、チルド室４０から発生した水は、吸引パイプ５３、ポンプ収納容器５２、および排水パイプ５４を経由して除霜室皿５５に流れる。除霜室皿５５に流れた水は、除霜水と共に、ここでは図示しない蒸発皿に至る。蒸発皿は、図示しない圧縮機や冷媒パイプなどの熱源と熱的に結合されているので、蒸発皿に移送された水はこの熱により蒸発する。
【００５２】
図６（Ｂ）を参照して、吸引パイプ５３の紙面上に於ける左方側端部は、チルド室４０の排水孔５０に接続している。一方、吸引パイプ５３の紙面上に於ける右方側端部は、ポンプ収納容器５２に内蔵されたポンプ５１の吸引口に接続している。ここで、ポンプ５１は、略箱状に形成された合成樹脂から成るポンプ収納容器５２に内蔵されている。このようにすることで、ポンプ５１が稼働することで発生する騒音をポンプ収納容器５２で吸収し、ポンプの稼働音が冷蔵庫１０の外部に漏れることを抑制することができる。ポンプ５１は、チルド室４０の内部空気と共に、溝部４９に集合した水も吸引する。また、ポンプ５１が吸引した水は、上記したように、排水パイプ５４を経由して下方に移送される。
【００５３】
図７は、冷蔵室供給風路３０を前方から見た図である。ここでは、冷蔵室供給風路３０にハッチングを付している。
【００５４】
冷蔵室供給風路３０は、上記した冷却室３２から冷蔵室１５に供給される冷気が流通する風路である。具体的には、冷蔵室供給風路３０は、左右方向中央部から上方に向かって形成され、上端から左右両側に分岐し、更に左右方向端部から下方に向かって延在している。冷蔵室供給風路３０の途中の複数箇所に、冷気を冷蔵室１５に吹き出すための吹出口３４が形成されている。
【００５５】
この図では、チルド室４０が配置される領域を点線で示している。チルド室４０の後方に２つの吹出口３４が配置されている。このように複数の吹出口３４を、チルド室４０の後方に配置することで、チルド室４０の上記した後方側面部３９Ｂを効率的に冷却することができる。よって、チルド室４０の内部雰囲気に含まれる水分を、より効果的に後方側面部３９Ｂに凝集させて除去することができる。
【００５６】
また、図４等に示したように、チルド室４０の後方側面部３９Ｂは複数のリブ４７が形成されている。従って、チルド室４０の後方側面部３９Ｂに沿って冷気を流すことは簡単ではない。しかしながら、チルド室４０の後方に複数の吹出口３４を配置することで、チルド室４０の後方側面部３９Ｂを効果的に冷却することができる。
【００５７】
本発明は、上記実施形態に限定されるものではなく、その他、本発明の要旨を逸脱しない範囲で、種々の変更実施が可能である。
【符号の説明】
【００５８】
１０   冷蔵庫
１１   断熱箱体
１２   外箱
１３   内箱
１４   断熱材
１５   冷蔵室
１６   製氷室
１７   冷凍室
１８   上段冷凍室
１９   下段冷凍室
２１   断熱扉
２２   断熱扉
２３   断熱扉
２４   断熱扉
２７   断熱仕切壁
３０   冷蔵室供給風路
３１   冷却器
３２   冷却室
３３   送風機
３４   吹出口
３５   帰還口
３６   吹出カバー
３７   上面部
３８   下面部
３９   側面部
３９Ａ 前方側面部
３９Ｂ 後方側面部
３９Ｃ 左方側面部
３９Ｄ 右方側面部
４０   チルド室
４１   チルドケース本体部
４２   チルドケース蓋部
４３   パネル
４４   収納容器
４５   前面開口
４６   把手
４７   リブ
４９   溝部
４９Ａ 第１溝部
４９Ｂ 第２溝部
５０   排水孔
５１   ポンプ
５２   ポンプ収納容器
５３   吸引パイプ
５４   排水パイプ
５５   除霜室皿
５６   親水性塗料
５７   チルドケース
５８   フィルタ
【図１】
2019113242.tif 000003
【図２】
2019113242.tif 000004
【図３】
2019113242.tif 000005
【図４】
2019113242.tif 000006
【図５】
2019113242.tif 000007
【図６】
2019113242.tif 000008
【図７】
2019113242.tif 000009